(57)【要約】爪先の外側を覆う第１アッパー部と、小趾球の側面を覆って支持する第２アッパー部と、静止立位および背屈状態において、第１アッパー部と第２アッパー部とが外側面において二重に重なる重なり領域と、静止立位から足が背屈するのに伴い、第２アッパー部の前端が第１アッパー部に対し変位することで、重なり領域の面積が大きくなるように第１アッパー部と第２アッパー部とが互いに分断された分断ラインとを備え、分断ラインの下端の位置は小趾の中足趾節関節よりも前方で、第４趾の先端よりも後方に設定されている。
2015140957.tif 000002
【特許請求の範囲】
【請求項１】
靴のアッパーＵであって、
爪先の外側Ｌを覆う第１アッパー部１と、
外側面において小趾球Ｏ５の側面を覆って支持する第２アッパー部２と、
静止立位および足が背屈した背屈状態において、前記第１アッパー部１と前記第２アッパー部２とが前記外側面において二重に重なり、かつ、互いに拘束しない重なり領域αと、
前記静止立位から足が背屈するのに伴い、前記第２アッパー部２の前端２０が前記第１アッパー部１に対し変位することで、前記重なり領域αの面積が大きくなるように前記第１アッパー部１と第２アッパー部２とが互いに分断された分断ラインＬ１とを備え、
前記分断ラインＬ１の下端１１の足の前後方向Ｙの位置は小趾の中足趾節関節ＭＰ５よりも前方ＹＦで、かつ、第４趾の先端よりも後方ＹＲに設定されている。
【請求項２】
請求項１のアッパーにおいて、前記分断ラインＬ１の下端１１の足の前後方向Ｙの位置は小趾の基節骨Ｂ３５の骨底よりも前方ＹＦで、かつ、第４趾の先端よりも後方ＹＲに設定されている。
【請求項３】
請求項１のアッパーにおいて、前記分断ラインＬ１の下端１１の足の前後方向Ｙの位置は小趾の基節骨Ｂ３５の骨底よりも前方ＹＦで、かつ、第４趾の末節骨Ｂ１４の先端よりも後方ＹＲに設定されている。
【請求項４】
請求項１〜３のいずれか１項のアッパーにおいて、前記重なり領域αは、前記静止立位において、前記第２アッパー部２の前縁部２１が前記第１アッパー部１の下側に潜り込んだ状態に設定されている。
【請求項５】
請求項１〜３のいずれか１項のアッパーにおいて、前記第１アッパー部１の下側に前記第２アッパー部２が潜り込んだ状態で、前記重なり領域αにおいて前記両アッパー部が互いに重なるように、前記両アッパー部の重なり状態を案内する案内手段Ｇを更に備える。
【請求項６】
請求項５のアッパーにおいて、前記案内手段Ｇは、前記静止立位において、前記第２アッパー部２の前縁部２１が前記第１アッパー部１の下側に潜り込んだ状態の前記重なり領域αを包含する。
【請求項７】
請求項５もしくは６のアッパーにおいて、前記案内手段Ｇは、前記アッパーＵの紐通し用の複数の孔Ｈ１，Ｈ２に挿通されるシューレース４を更に備え、
前記シューレース４の一部は、前記複数の孔Ｈ１，Ｈ２のうち前記第１アッパー部１の孔と、前記複数の孔Ｈ１，Ｈ２のうち前記第２アッパー部２の孔との間において、前記第１アッパー部１の下側に配置されると共に、前記第２アッパー部２の上側に配置されている。
【請求項８】
請求項１〜７のいずれか１項のアッパーにおいて、前記分断ラインＬ１は前記第１アッパー部１の上縁１Ｅから前記下端１１まで下方に向かって、かつ、アッパーＵの履き口５の前方の開口６に連なり前記開口６から足の外側に向かって前記下端１１まで延びており、
前記分断ラインＬ１の前記下端１１から靴のソールＳｍ，Ｓｏの上端Ｓ１まで前記第１アッパー部１と前記第２アッパー部２とが足の前後方向Ｙに前記重なり領域αよりも堅く互いに連なる外側連続部１２を前記アッパーＵが更に備える。
【請求項９】
請求項８のアッパーにおいて、前記外側連続部１２は、前記第１アッパー部１と前記第２アッパー部２とが互いに結合されて形成されている。
【請求項１０】
請求項１〜９のいずれか１項のアッパーにおいて、内側面において母趾球Ｏ１の側面を覆って支持する第３アッパー部３を更に備え、
前記第１及び第２アッパー部１，２を構成する部材の曲げ剛性が前記第３アッパー部３を構成するそれよりも大きい。
【請求項１１】
請求項１〜１０のいずれか１項のアッパーにおいて、内側面において母趾球Ｏ１の側面を覆って支持する第３アッパー部３を更に備え、
前記第３アッパー部３は母趾の基節骨Ｂ３１の骨底から母趾球Ｏ１まで前後に分断されることなく内側面を覆って連なる内側連続部３２を有する。
【請求項１２】
請求項１のアッパーにおいて、前記第１アッパー部１の下側に前記第２アッパー部２が潜り込んだ状態で、前記重なり領域αにおいて両アッパー部が互いに重なるように、前記両アッパーの重なり状態を案内する案内手段Ｇを更に備え、
前記分断ラインＬ１の下端１１の足の前後方向Ｙの位置は小趾の基節骨Ｂ３５の骨底よりも前方ＹＦで、かつ、第４趾の先端よりも後方ＹＲに設定されている。
【請求項１３】
請求項１のアッパーにおいて、内側面において母趾球Ｏ１の側面を覆って支持する第３アッパー部３を更に備え、
前記第１及び第２アッパー部１，２を構成する部材の曲げ剛性が前記第３アッパー部３を構成するそれよりも大きく、
前記分断ラインＬ１の下端１１の足の前後方向Ｙの位置は小趾の基節骨Ｂ３５の骨底よりも前方ＹＦで、かつ、第４趾の末節骨Ｂ１４の先端よりも後方ＹＲに設定されている。
【請求項１４】
請求項１のアッパーにおいて、内側面において母趾球Ｏ１の側面を覆って支持する第３アッパー部３を更に備え、
前記第１及び第２アッパー部２を構成する部材の曲げ剛性が前記第３アッパー部３を構成するそれよりも大きく、
前記第３アッパー部３は母趾の基節骨Ｂ３５の骨底から母趾球Ｏ１まで前後に分断されることなく内側面を覆って連なる内側連続部３２を有する。
【請求項１５】
請求項１〜１４のいずれか１項のアッパーにおいて、
内側面において爪先及び母趾球の側面を覆って支持する第３アッパー部３を備え、
前記分断ラインＬ１は前記第１アッパー部１の上縁１Ｅから前記下端１１まで下方に向かって、かつ、アッパーの履き口５の前方の開口６に連なり、前記開口６から足の外側に向かって延びており、
前記第１アッパー部１は前記開口６の前端ラインＬ２を定義し、
前記分断ラインＬ１と前記前端ラインＬ２とを連ねた連続ラインＬ３は、足の第２趾骨Ｂ２から第４趾骨Ｂ４を横断するように足幅方向Ｘに延びている。
【発明の詳細な説明】
【技術分野】
【０００１】
本発明は靴のアッパーに関する。
【背景技術】
【０００２】
ハンドボール競技のフェイント動作、バレーボールのスパイク動作におけるサイドブレーキ、テニスのオープンストロークの際の踏み込み時などにおいては、前足部において足の外側に向かう負荷が掛かる場面が多い。この時、アッパーの剛性の不足によってシューズ内で足がソール上から外側にはみ出す現象、即ち“棚落ち”が発生し易い。
【先行技術文献】
【特許文献】
【０００３】
【特許文献１】ＪＰ  ２００９−２５４８０７Ａ
【特許文献２】ＪＰ  ２０１０−１８７８８７Ａ
【特許文献３】ＪＰ  ２０１１−０８７８９３Ａ
【特許文献４】ＪＰ  ２００５−１７６８５９Ａ
【特許文献５】ＪＰ      ６２−２５８６０１Ａ
【発明の概要】
【０００４】
前記“棚落ち”を抑制するための構造として、前足部の外側においてアッパーをポリウレタンなどで高剛性化する事が考えられる。しかし、剛性の高いアッパーは足の背屈時にアッパーが局所的に屈曲する座屈が生じ、足沿いが劣化し易い。
【０００５】
したがって、本発明の目的は、様々な着用者や動作に対応可能な、足沿いの良さと“棚落ち”抑制を両立させることができる靴のアッパーを提供することである。
【０００６】
本発明のアッパーは爪先の外側Ｌを覆う第１アッパー部１と、
外側面において小趾球Ｏ５の側面を覆って支持する第２アッパー部２と、
静止立位および足が背屈した背屈状態において、前記第１アッパー部１と前記第２アッパー部２とが前記外側面において二重に重なり、かつ、互いに拘束しない重なり領域αと、
前記静止立位から足が背屈するのに伴い、前記第２アッパー部２の前端２０が前記第１アッパー部１に対し変位することで、前記重なり領域αの面積が大きくなるように前記第１アッパー部１と第２アッパー部２とが互いに分断された分断ラインＬ１とを備え、
前記分断ラインＬ１の下端１１の足の前後方向Ｙの位置は小趾の中足趾節関節ＭＰ５よりも前方ＹＦで、かつ、第４趾の先端よりも後方ＹＲに設定されている。
【０００７】
本発明においては、前足部の外側Ｌに分断ラインＬ１が設けられている。本アッパーＵの着用者が静止立位から背屈状態に移行するのに伴い、第２アッパー部２の前端２０が第１アッパー部１に対し変位し、重なり領域αの面積が大きくなる。そのため、足の背屈時にアッパーＵが座屈しにくい。これにより、足沿いの向上が期待できる。
【０００８】
前記分断ラインＬ１の下端１１の足の前後方向Ｙの位置が第４趾の先端よりも後方ＹＲに設定されている。前記アッパーＵの座屈は第４趾の先端よりも後方Ｒにおいて生じるため、前記分断ラインを有するアッパーＵの第２アッパー部２は足の背屈時に足の変形に沿って屈曲し易い。したがって、足沿いの向上が期待できる。
【０００９】
一方、前記分断ラインＬ１の下端１１の位置は小趾の中足趾節関節ＭＰ５よりも前方ＹＦに設定されている。そのため、第２アッパー部２が小趾のＭＰ関節やその前後の部位を支持する。したがって、“棚落ち”が抑制される。
【００１０】
本発明において、分断ラインＬ１は第１アッパー部１の後端又は第２アッパー部２の前端２０が外側面にライン状に表れる。第１アッパー部１及び第２アッパー部２は、各々、所定の厚さを持つ板状ないし布帛状の素材で形成され、したがって、分断ラインＬ１は第１アッパー部１の後端面または第２アッパー部２の前端面の、前記素材の表面に沿った一辺を意味する。また、本発明において、「足の背屈」とは、足部における関節、例えば、中足趾節関節や趾節間関節等が背屈することを意味する。
【図面の簡単な説明】
【００１１】
【図１】本発明の一実施例を示す靴を外側の斜め後方から見た斜視図である。
【図２】同靴を内側の斜め前方から見た斜視図である。
【図３】背屈時の同靴を外側の斜め後方から見た斜視図である。
【図４】背屈時の同靴を内側の斜め後方から見た斜視図である。
【図５】同靴の平面図である。
【図６】同靴の第２及び第３アッパー部を拡開した状態で示す平面図である。
【図７】同靴と足の骨格との関係を示す外側面図である。
【図８】背屈時の同靴の外側面図である。
【図９】同靴と足の骨格との関係を示す平面図である。
【図１０】図１０Ａはセンサの配置を足の骨格と共に示す平面図、図１０Ｂは同センサにおける分析のためのエリアの配列を示す平面図である。
【図１１】図１１Ａは同実施例における各エリアに生じた力を表す棒グラフ、図１１Ｂは比較例の場合の同棒グラフである。
【発明を実施するための形態】
【００１２】
好ましくは、前記分断ラインＬ１の下端１１の足の前後方向Ｙの位置は小趾の基節骨Ｂ３５の骨底よりも前方ＹＦで、かつ、第４趾の先端よりも後方ＹＲに設定される。
【００１３】
この場合、分断ラインＬ１の位置が小趾の基節骨Ｂ３５の骨底よりも前方ＹＦに設定されている。そのため、第２アッパー部２は足の外側の小趾球Ｏ５及び、小趾の基節骨Ｂ３５の骨底の双方を外側面から支持する。したがって、前記“棚落ち”の抑制効果が増大するだろう。
【００１４】
好ましくは、前記分断ラインＬ１の下端１１の足の前後方向Ｙの位置は小趾の基節骨Ｂ３５の骨底よりも前方ＹＦで、かつ、第４趾の末節骨Ｂ１４の先端よりも後方ＹＲに設定されている。
この場合、上記と同様に“棚落ち”が抑制される。また、第４趾の末節骨Ｂ１４の先端よりも後方ＹＲに分断ラインＬ１が設定されており、足沿いの更なる向上が期待できる。
【００１５】
好ましくは、前記重なり領域αは、前記静止立位において、前記第２アッパー部２の前縁部２１が前記第１アッパー部１の下側に潜り込んだ状態に設定されている。
この場合、後述するように、足沿いが更に向上するだろう。
【００１６】
好ましくは、前記第１アッパー部１の下側に前記第２アッパー部２が潜り込んだ状態で、前記重なり領域αにおいて前記両アッパー部が互いに重なるように、前記両アッパー部の重なり状態を案内する案内手段Ｇを更に備える。
【００１７】
足が背屈すると、アッパーの外側面も背屈する。この際、小趾のＭＰ関節の背屈よりも前方の第２趾〜第４趾のＭＰ関節の背屈が支配的となり、これらの背屈に沿って第２アッパー部２は足趾に接触するまで屈曲する場合がある。この屈曲時に第２アッパー部２は静止立位時よりも足趾の上表面に圧迫を与える。しかし、第１アッパー部１は第２アッパー部２の上側に配置されているから、第１アッパー部１は屈曲しにくく、足趾の上表面に圧迫を与えにくい。その結果、足沿いが更に向上するだろう。
【００１８】
好ましくは、前記案内手段Ｇは、前記静止立位において、前記第２アッパー部２の前縁部２１が前記第１アッパー部１の下側に潜り込んだ状態の前記重なり領域αを包含する。
【００１９】
この場合、静止立位において第１アッパー部１の後縁部が第２アッパー部２の前縁部２１の上側に配置されており、背屈時には重なり領域αが増大し、前記配置状態が背屈時にも維持されるだろう。したがって、足沿いの向上を容易に実現できるだろう。
【００２０】
好ましくは、前記案内手段Ｇは、前記アッパーＵの紐通し用の複数の孔Ｈ１，Ｈ２に挿通されるシューレース４を更に備え、
前記シューレース４の一部は、前記複数の孔Ｈ１，Ｈ２のうち前記第１アッパー部１の孔と、前記複数の孔Ｈ１，Ｈ２のうち前記第２アッパー部２の孔との間において、前記第１アッパー部１の下側に配置されると共に、前記第２アッパー部２の上側に配置されている。
【００２１】
この場合、シューレース４の前記一部により、前記配置が確実に維持されるだろう。
【００２２】
好ましくは、前記分断ラインＬ１は前記第１アッパー部１の上縁１Ｅから前記下端１１まで下方に向かって、かつ、アッパーＵの履き口５の前方の開口６に連なり前記開口６から足の外側に向かって前記下端１１まで延びており、
前記分断ラインＬ１の前記下端１１から靴のソールＳｍ，Ｓｏの上端Ｓ１まで前記第１アッパー部１と前記第２アッパー部２とが足の前後方向Ｙに前記重なり領域αよりも堅く互いに連なる外側連続部１２を前記アッパーＵが更に備える。
【００２３】
この場合、外側連続部１２は重なり領域αよりも堅く互いに連なっており、したがって“棚落ち”抑制の効果が高まるだろう。
【００２４】
更に、好ましくは、前記外側連続部１２は、前記第１アッパー部１と前記第２アッパー部２とが互いに結合されて形成される。
【００２５】
この場合、第１アッパー部１と第２アッパー部２とが外側連続部１２において結合されており、前記“棚落ち”抑制の効果が発揮され易い。
【００２６】
好ましくは、内側面において母趾球Ｏ１の側面を覆って支持する第３アッパー部３を更に備え、
前記第１及び第２アッパー部１，２を構成する部材の曲げ剛性が前記第３アッパー部３を構成するそれよりも大きい。
【００２７】
この場合、第３アッパー部３よりも曲げ剛性の大きい第１及び第２アッパー部１，２によって、小趾の外側面が支持され易い。そのため、前記“棚落ち”抑制の効果が増大すると共に、足の内側の背屈動作が妨げられ難い。
【００２８】
好ましくは、内側面において母趾球Ｏ１の側面を覆って支持する第３アッパー部３を更に備え、
前記第３アッパー部３は母趾の基節骨Ｂ３１の骨底から母趾球Ｏ１まで前後に分断されることなく内側面を覆って連なる内側連続部３２を有する。
【００２９】
この場合、母趾のＭＰ関節付近のサポートが充実する。
【００３０】
好ましくは、前記第１アッパー部１の下側に前記第２アッパー部２が潜り込んだ状態で、前記重なり領域αにおいて両アッパー部が互いに重なるように、前記両アッパーの重なり状態を案内する案内手段Ｇを更に備え、
前記分断ラインＬ１の下端１１の足の前後方向Ｙの位置は小趾の基節骨Ｂ３５の骨底よりも前方ＹＦで、かつ、第４趾の先端よりも後方ＹＲに設定されている。
【００３１】
前述のとおり、この場合、足沿いの更なる向上が期待できる。また、前述のとおり、前記“棚落ち”抑制の効果が増大するだろう。
【００３２】
好ましくは、内側面において母趾球Ｏ１の側面を覆って支持する第３アッパー部３を更に備え、
前記第１及び第２アッパー部１，２を構成する部材の曲げ剛性が前記第３アッパー部３を構成するそれよりも大きく、
前記分断ラインＬ１の下端１１の足の前後方向Ｙの位置は小趾の基節骨Ｂ３５の骨底よりも前方ＹＦで、かつ、第４趾の末節骨Ｂ１４の先端よりも後方ＹＲに設定されている。
【００３３】
前述のとおり、この場合、前記“棚落ち”抑制の効果が増大すると共に、足の内側の背屈動作が妨げられ難い。
【００３４】
好ましくは、内側面において母趾球Ｏ１の側面を覆って支持する第３アッパー部３を更に備え、
前記第１及び第２アッパー部２を構成する部材の曲げ剛性が前記第３アッパー部３を構成するそれよりも大きく、
前記第３アッパー部３は母趾の基節骨Ｂ３５の骨底から母趾球Ｏ１まで前後に分断されることなく内側面を覆って連なる内側連続部３２を有する。
【００３５】
前述のとおり、この場合、小趾の外側面や母趾のＭＰ関節付近のサポートが充実する。そのため、前記前記“棚落ち”抑制の効果が増大すると共に、柔軟な第３アッパー部３により、足の内側の背屈動作がスムースになる。
【００３６】
好ましくは、内側面において爪先及び母趾球の側面を覆って支持する第３アッパー部３を備え、
前記分断ラインＬ１は前記第１アッパー部１の上縁１Ｅから前記下端１１まで下方に向かって、かつ、アッパーの履き口５の前方の開口６に連なり、前記開口６から足の外側に向かって延びており、
前記第１アッパー部１は前記開口６の前端ラインＬ２を定義し、
前記分断ラインＬ１と前記前端ラインＬ２とを連ねた連続ラインＬ３は、足の第２趾骨Ｂ２から第４趾骨Ｂ４を横断するように足幅方向Ｘに延びている。
【００３７】
この場合、分断ラインＬ１と前端ラインＬ２とを連ねた連続ラインＬ３は、第２趾骨Ｂ２から第４趾骨Ｂ４を横断する広い範囲にわたって延びている。そのため、アッパーの爪先部分全体の屈曲性の増大が期待できる。
【００３８】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例】
【００３９】
つぎに、本発明の一実施例が図１〜図１１Ｂにしたがって説明される。
以下、要部の説明に先立って、本実施例の全体構造が説明される。図１および図２に示す本実施例はたとえばハンドボールやバレーボール用の靴であり、ソールとアッパーＵとを備える。
図１において、前記ソールは、互いに一体に結合されたアウトソールＳｏ、ミッドソールＳｍ、ヒールカウンタ７およびインソール（図示せず）を備える。なお、図７〜図９においてミッドソールＳｍには不規則な小さな網点が付されている。図７の前記ミッドソールＳｍにはアッパーＵが固着されている。【００４０】
図７において、前記アウトソールＳｏは接地面を有し、本実施例の場合、ゴムやウレタン樹脂などを主素材としており、ミッドソールＳｍに比べ、ヤング率が大きく、比較的曲げ剛性が大きい。ゴム製等のアウトソールＳｏは足の外側Ｌ（図９）において、小趾Ｂ５の基節骨Ｂ３５の骨底および小趾球Ｏ５の支持を外側面から強化する巻上部８０を有する。【００４１】
なお、骨底とは各骨における後方の関節に近い部位で若干太く膨らんだ部位をいい、近位骨頭とも呼ばれている。一方、骨頭とは各骨における前方の関節に近い部位で若干太く膨らんだ部位をいい、遠位骨頭とも呼ばれている。また、骨体とは前記骨底と骨頭との間の部位をいい、一般に滑らかに太さが変化している。【００４２】
図１〜図５において、前記アッパーＵは、内装材Ｕ１および網点を付した外装材Ｕ２を備える。前記アッパーＵは足の甲を包むと共に足を挿入するための履き口５を定義する。なお、アッパーＵはシューレース４によって締め付けられる。【００４３】
図１〜図５に示すように、内装材Ｕ１は足の上面、側面又は後面に接する。前記内装材Ｕ１はメッシュ状や織布などの伸び易い素材で形成され、足をソフトに包むと共に足当たりを良くする。
図１の前記ミッドソールＳｍは前記アウトソールＳｏの上に配置された熱可塑性樹脂の発泡体を主体とし、たとえば、ＥＶＡの発泡体を主体とし、一部にゲルなどの他の緩衝部材が含まれていてもよい。前記ミッドソールＳｍは前記外側Ｌにおいて、前記アウトソールＳｏの巻上部８０とアッパーＵとの間に挟まれ、図７の基節骨Ｂ３５の骨底および小趾球Ｏ５の外側面を覆う巻上部８１を有する。【００４４】
図１の前記各巻上部８０，８１は外側Ｌにおいて、アッパーＵに沿って上方に巻き上がる。したがって、これらの巻上部８０，８１においては、ミッドソールＳｍ及び／又はアウトソールＳｏがアッパーＵの下端部と積層された状態となっている。【００４５】
図１および図２において、前記外装材Ｕ２は、第１アッパー部１、第２アッパー部２および第３アッパー部３を備える。
前記外装材Ｕ２の材料としては、たとえば、人工皮革や合成皮革や熱可塑性樹脂の非発泡体の板材などの伸び難い又は実質的に伸びない材料を用いる。また、屈曲性を高めるために、外装材Ｕ２に貫通孔Ｕ０を設け、同貫通孔Ｕ０から内装材Ｕ１を構成するメッシュ材が露出していてもよい。【００４６】
伸び難い材料とは、内装材Ｕ１に比べ人工皮革などの伸び難い素材を意味する。一方、実質的に伸びない材料とは、歩行や走行の動作時に伸びが殆ど認められない前記板材などの素材を意味する。【００４７】
図１および図２に示すように、前記第１および第２アッパー部１，２には小さな細かい網点が付されている。図７において前記第１アッパー部１は爪先の外側Ｌを覆う。前記第２アッパー部２は、外側面の巻上部８０，８１において小趾球Ｏ５の側面を覆って支持する。すなわち、前記小趾球Ｏ５の側面においては、図１の内装材Ｕ１、外装材Ｕ２（第２アッパー部２）、ミッドソールＳｍ及びソールＳｏが積層された状態である。【００４８】
前記第１および第２アッパー部１，２は、たとえば熱可塑性樹脂の非発泡体の板材（メッシュ状及び／又は平板状）から作成される。前記第１及び第２アッパー部１，２を構成する板材の曲げ剛性は前記第３アッパー部３を構成するそれよりも大きい。【００４９】
図１および図２に示すように、前記曲げ剛性が比較的小さい第３アッパー部３には、大きく粗い網点が付されている。図９の前記第３アッパー部３は内側面において爪先および母趾球Ｏ１の側面を覆って支持する。【００５０】
本発明において、板材の曲げ剛性の相違は人の五感で知ることができる程度が好ましい。なお、“曲げ剛性”は板材の法線方向に荷重を加えた際に生じる撓み角や変形の大きさにより知ることができる。【００５１】
図１のように、外観上、前記第１アッパー部１と第２アッパー部２との境界は、分断ラインＬ１となって表れる。本実施例の場合、前記分断ラインＬ１は前記第１アッパー部１の後端面ＬＦで定義される。なお、図１、図３、図５および図６において、前記後端面ＬＦは黒く塗り潰されている。【００５２】
図７および図８に示すように、静止立位および足が背屈した背屈状態において、前記第１アッパー部１の後縁部と前記第２アッパー部２の前縁部２１とは、前記外側面において二重に重なる重なり領域αを形成する。本実施例の場合、前記重なり領域αの下方には、結合部αＣが連なっている。なお、図７〜図９において結合部αＣには斜線が施され、重なり領域αには濃く、かつ、密なドットが施されている。【００５３】
前記結合部αＣは前記外側連続部１２を構成しており、例えば、互いに二重に重なった前記第１アッパー部１の後縁部と前記第２アッパー部２の前縁部２１とが互いに結合されて形成されている。なお、前記結合は、溶着又は接着及び／又は縫合により形成される。また、１枚の素材の一部にスリットが形成され、前記スリットを互いに重ね合わせることで、互いに二重に重なった前記第１アッパー部１の後縁部と前記第２アッパー部２の前縁部２１とが形成されてもよい。【００５４】
前記重なり領域αは前記第１アッパー部１と第２アッパー部２とが互いに拘束することのない自由な領域である。したがって、前記重なり領域αつまり非結合部分の面積は、図７の前記静止立位から足が背屈するのに伴い、前記第２アッパー部２の前端２０が前記第１アッパー部１に対し変位することで、大きくなる。前記分断ラインＬ１は、重なり領域αである非結合部において、前記第１アッパー部１と第２アッパー部２とが互いに分断されて表れるラインを意味する。【００５５】
図７の実施例において、前記分断ラインＬ１の下端１１の足の前後方向Ｙの位置は、例えば、小趾の基節骨Ｂ３５の骨底よりも前方ＹＦで、かつ、第４趾の末節骨Ｂ１４の先端よりも後方ＹＲに設定されている。【００５６】
本実施例において、図１の前記分断ラインＬ１は前記アッパーＵの外装材Ｕ２の外側面の上縁１Ｅ，２Ｅから前記下端１１まで下方に向かって、かつ、アッパーＵの外装材Ｕ２の履き口５の前方の開口６に連なり、前記開口６から足の外側に向かって前記下端１１まで延びている。
なお、前記開口６においては、メッシュ模様を施した前記内装材Ｕ１が露出する。【００５７】
図７の前記分断ラインＬ１の前記下端１１からミッドソールＳｍの上端Ｓ１まで、前記第１アッパー部１と前記第２アッパー部２とは足の前後方向Ｙに前記重なり領域αの非結合部分よりも堅く互いに結合された結合部αＣを形成する。この結合部αＣは第１アッパー部１と第２アッパー部２とが互いに連なる外側連続部１２の一部を構成する。【００５８】
本実施例の場合、図１、図２および図９のように、前記第１アッパー部１は、爪先の外側面および上面の過半（半分以上）を覆い、少なくとも第２趾骨Ｂ２及び／又は第３趾骨Ｂ３の一部を上面および図７の外側面から覆う。図２の前記第１アッパー部１は、爪先の先端部および内側面において前記第３アッパー部３に縫合されて連なっている。【００５９】
本実施例の場合、図１および図７のように、前記第２アッパー部２は前記分断ラインＬ１よりも後方において外側面の過半を覆う。少なくとも、第２アッパー部２は図７の小趾の基節骨Ｂ３５の全部および中足骨Ｂ４５の全部を覆っていてもよい。【００６０】
本実施例の場合、図２の前記第３アッパー部３は、内側面の過半（半分以上）を覆う。前記第３アッパー部３は爪先においては上面の中央を覆っていない。また、図１の前記第３アッパー部３は、踵部の内側面および後面の一部を覆っていてもよい。【００６１】
図２および図９から分かるように、前記第３アッパー部３は母趾の基節骨Ｂ３１の骨底から母趾球Ｏ１まで前後に分断されることなく内側面を覆って連なる内側連続部３２を有する。【００６２】
前記第１及び第３アッパー部１，３は前記開口６の前端ラインＬ２を定義する。前記分断ラインＬ１と前記前端ラインＬ２とを連ねた連続ラインＬ３は、図９の第２趾骨Ｂ２から第４趾骨Ｂ４を横断するように足幅方向Ｘに延びている。【００６３】
図６に示すように、前記外装材Ｕ２は開口６の近傍において前記内装材Ｕ１に接合されておらず、ソールＳｍ，Ｓｏの近傍、履き口５および踵の周りにおいて内装材Ｕ１に接合されている。したがって、図７および図８のように、第２アッパー部２は第１アッパー部１に対し重なり領域αが自由に変位することができる。【００６４】
前記重なり領域αつまり非結合部分は前記分断ラインＬ１、下端１１および隠れラインＬ１１とで定義することができる。本実施例の場合、前記隠れラインＬ１１は第２アッパー部２の前端２０の一部で構成される。【００６５】
図１の本実施例の靴は案内手段Ｇを備える。案内手段Ｇは、図７の前記第１アッパー部１の下側に前記第２アッパー部２が潜り込んだ状態で、前記重なり領域αにおいて前記両アッパー部が互いに重なるように、前記両アッパー部の重なり状態を案内する。【００６６】
例えば、図１の前記案内手段Ｇは、前記静止立位において、図７の前記第２アッパー部２の前縁部２１が前記第１アッパー部１の下側に潜り込んだ状態の前記重なり領域αを包含する。すなわち案内手段Ｇは前記静止立位における非結合部分を包含する。【００６７】
図１の前記案内手段Ｇは、前記アッパーＵの紐通し用の複数の孔Ｈ１，Ｈ２に挿通されるシューレース４を更に備えていてもよい。  前記シューレース４の一部は、前記複数の孔Ｈ１，Ｈ２のうち前記第１アッパー部１の外側の後方の孔と、前記複数の孔Ｈ１，Ｈ２のうち前記第２アッパー部２の外側の前方の孔との間において、前記第１アッパー部１の下側に配置されると共に、前記第２アッパー部２の上側に配置されている。【００６８】
つぎに、本実施例におけるアッパーの効用について説明される。
図１において、足の前足が外側Ｌに向かってアッパーＵ内で移動しようとすると、曲げ剛性の大きい第１アッパー部１および第２アッパー部２や前後に堅く連なった外側連続部１２や巻上部８０，８１が図７の中足趾節関節ＭＰ５付近において前記移動を抑制する。そのため、“棚落ち”が生じにくくなるだろう。【００６９】
サイドステップ時の小趾の足幅方向Ｘへのズレを本実施例と他の市販のハンドボールシューズとで比較試験を行ったところ、本実施例の靴では前記足幅方向Ｘへのズレが市販品よりも小さかった。すなわち、前記“棚落ち”の抑制効果が確認できた。【００７０】
一方、図３および図４のような足およびアッパーＵの背屈時には、足の内側では、曲げ剛性の小さい第３アッパー部３の母趾球Ｏ１（図９）付近やアーチ付近において、皺が生じ、第３アッパー部３が足の背屈に沿って屈曲し易い。【００７１】
他方、前記背屈時には、足の外側では、図７および図８に示すように、分断ラインＬ１の下端１１のまわりに前記第２アッパー部２の前端２０が前記背屈に伴って前方に傾くように変位する。つまり、重なり領域α（非結合部分）が増大するように、第２アッパー部２の前端２０が第１アッパー部１に対し変位する。そのため、曲げ剛性の大きい第１アッパー部１および第２アッパー部２であっても足の背屈に沿って屈曲し易い。【００７２】
このように足の背屈時に、内外の双方のアッパー部１〜３が屈曲し易く、その結果、アッパーＵの足沿いが良い。【００７３】
つぎに、他の例について説明する。
図１〜図９の前記実施例では第１アッパー部１の下側に第２アッパー部２の前縁部２１が配置されている。しかし、逆に、第１アッパー部１の上側に第２アッパー部２の前縁部２１が配置されてもよい。この場合、第２アッパー部２の前端２０が分断ラインＬ１となって表れ、一方、第１アッパー部１の後端が隠れラインとなる。【００７４】
しかし、以下に説明するように、第１アッパー部１および第２アッパー部２の上下の位置関係は図１〜図９に示した実施例の方が好ましい。【００７５】
まず、図１〜図９に示した実施例の靴（以下、「サンプルＡ」という。）と、前記他の例で説明した靴（以下、「サンプルＢ」という。）が作成され用意された。【００７６】
一方、図１０ＡおよびＢに示す感圧式のセンサＳを用意し、図１０Ａのように、被験者の第３および第４ＭＰ関節ＭＰ３、ＭＰ４を覆うように配置した。【００７７】
つぎに、被験者が前記サンプルＡの靴を試着した状態で足を背屈させた。この背屈時において、図１０ＢのセンサＳの仮想の各エリア（Ｘｉ，Ｙｉ）に生じた荷重を測定した。その測定結果を図１１Ａに示す。なお、図１０Ｂの各エリア（Ｘｉ，Ｙｉ）の大きさ及び形状は１辺が５ｍｍの正方形とした。【００７８】
つぎに、被験者が前記サンプルＢの靴を試着した状態で足を背屈させた。この背屈時において、図１０ＢのセンサＳの仮想の各エリア（Ｘｉ，Ｙｉ）に生じた荷重を測定した。その測定結果を図１１Ｂに示す。【００７９】
図１１Ａの棒グラフから分かるように、サンプルＡの場合、背屈時の荷重は総じて小さく、また、荷重分布は大きなバラツキがなく均等的に生じる。一方、図１１Ｂの棒グラフから分かるように、サンプルＢの場合、前記荷重は総じて大きく、かつ、前記荷重分布は大きなバラツキがある。すなわち、サンプルＢでは足趾に部分的な圧迫感が生じることが分かる。【００８０】
つぎに、このような荷重の相違が生じる理由について考察する。
今、図１の静止立位から図３の背屈姿勢への移行時において、第２アッパー部２の前部、つまり、図７の小趾の基節骨Ｂ３５の前端である趾節間関節Ｊの付近における第２アッパー部２の変形に着目する。図１および図３からわかるように、前記第２アッパー部２の前部は足の背屈に伴って背屈する。【００８１】
ここで、第２アッパー部２が第１アッパー部１の下側に配置されている場合、足趾には第２アッパー部２の背屈に伴う圧迫が負荷される。しかし、第２アッパー部２は上縁２Ｅが開口６に臨んでおり、そのため、第１アッパー部１に比べ比較的自由な変形が可能な柔構造である。したがって、第１アッパー部１の下側に第２アッパー部２の前部が入り込むことで、第２アッパー部２は足の甲に添うことになる。このような理由から、第２アッパー部２の変形による足趾への圧迫は総じて大きくならず、また、局所的にも大きくならないと推測される。【００８２】
一方、第２アッパー部２が第１アッパー部１の上側に配置されている場合、背屈時に剛構造の第１アッパーの高さが若干低くなるように第１アッパー部が変形し、第１アッパー部１の後縁（符号Ｌ１に相当する部位）が足趾の表面を圧迫しながら擦り上げる。また、足趾には第２アッパー部２の背屈に伴う圧迫の他に、第２アッパー部２の前部が、第１アッパー部１の上側の面を押し付けることに伴う圧迫が負荷される。ここで、図５のように、第１アッパー部１は第３アッパー部３と足幅方向Ｘに連なっており、爪先部分のアッパーＵはドーム（ｄｏｍｅ）状（丸屋根状）に連なっている。すなわち、爪先部分の三方はソールＳｍ，Ｓｏに堅く支持されている。したがって、第１アッパー部１は前記自由な変形ができない剛構造となっている。第２アッパー部２の変形時に第１アッパー部１も変形するが、当該剛構造の第１アッパー部１の変位量に対する荷重は、柔構造の第２アッパー部２のそれよりも総じて大きくなったり、局所的に著しく増大するのであろう。【００８３】
つぎに、別の例について説明する。例えば、図１の分断ラインＬ１はミッドソールＳｍの上端まで延び、外側連続部１２が設けられていなくてもよい。また、図２の内側Ｍに別の分断ラインが設けられていてもよい。【００８４】
また、図９の分断ラインＬ１の前後方向Ｙの位置は、小趾の基節骨Ｂ３５の骨体に相当する位置や第４趾の末節骨と基節骨との間の位置であってもよい。【００８５】
また、前記分断ラインＬ１の数は１つに限らず、２以上設けられていてもよい。例えば、図１の第１アッパー部１の前部１Ｆと後部１Ｂとが接合された接合部１Ｃに第２の分断ラインが設けられていてもよい。【００８６】
また、これらの分断ラインＬ１は下端部において、前方又は後方に向かって、緩やかな又は急な曲線状に屈曲していてもよい。【００８７】
以上のとおり、図面を参照しながら好適な実施例を説明したが、当業者であれば本明細書を見て、自明な範囲で種々の変更および修正を容易に想定するであろう。
たとえば、シューレースが案内手段Ｇを構成する必要はない。
また、第１および第２アッパー部は前記実施例の板材のように剛性の大きい必要はなく、たとえば、人工皮革で第３アッパー部と同じ剛性や第３アッパー部の剛性よりも小さい剛性であってもよい。
また、シューズは両足に本発明の構造が適用されてもよいし、軸足のみに本発明の構造が適用されてもよい。
したがって、そのような変更および修正は本発明の範囲のものと解釈される。
【産業上の利用可能性】
【００８８】
本発明はハンドボールやバレーボールなどのコート競技用のシューズ（靴）だけでなく、屋内外における競技用のシューズ（靴）や非競技用のシューズ（靴）を含むアスレチックシューズ（運動靴）にも適用でき、更に安全靴などにも適用できる。
【符号の説明】
【００８９】
１：第１アッパー部  １１：下端  １２：外側連続部
１Ｂ：後部  １Ｃ：接合部  １Ｅ：上縁  １Ｆ：前部
２：第２アッパー部  ２Ｅ：上縁  ２０：前端  ２１：前縁部
３：第３アッパー部  ３２：内側連続部
４：シューレース  ５：履き口  ６：開口
７：ヒールカウンタ
８０，８１：巻上部
Ｂ２：趾骨  Ｂ４：趾骨  Ｂ１４：末節骨  Ｂ３５：基節骨  Ｂ４５：中足骨
Ｇ：案内手段  Ｈ１，Ｈ２：孔
Ｌ：外側  Ｍ：内側
Ｌ１：分断ライン  Ｌ１１：隠れライン  Ｌ２：前端ライン  Ｌ３：連続ライン
ＬＦ：後端面
ＭＰ５：中足趾節関節  Ｏ１：母趾球  Ｏ５：小趾球
α：重なり領域  αＣ：結合部
Ｓ：センサ  Ｓｍ，Ｓｏ：ソール  Ｓ１：上端
Ｕ：アッパー  Ｕ０：貫通孔  Ｕ１：内装材  Ｕ２：外装材
Ｘ：足幅方向
Ｙ：前後方向  ＹＦ：前方  ＹＲ：後方
【図１】
2015140957.tif 000003
【図２】
2015140957.tif 000004
【図３】
2015140957.tif 000005
【図４】
2015140957.tif 000006
【図５】
2015140957.tif 000007
【図６】
2015140957.tif 000008
【図７】
2015140957.tif 000009
【図８】
2015140957.tif 000010
【図９】
2015140957.tif 000011
【図１０】
2015140957.tif 000012
【図１１】
2015140957.tif 000013
【国際調査報告】
2015140957.tif 000014
2015140957.tif 000015